(57)【要約】【課題】  不正行為用の異物を検出し、不正行為を防止する。【解決手段】  メダル投入口からメダル排出口へメダルを転動させるメダル通路と、前記メダル通路のメダル排出口側に設けられてメダルを検出するメダル計数センサＳ１，Ｓ２と、前記メダル計数センサよりも前記メダル投入口側の前記メダル通路の片側に設けられたメダルセンサＳ１０とを備える。前記メダルセンサはアナログ信号を出力するセンサであり、その出力信号は飽和することなくメダルの移動に伴い連続的に変化する。前記メダルセンサがメダルを検出している場合にのみ、前記メダル計数センサの出力に基づきメダルの枚数を計数する。【選択図】        図４
2006187495.tif 000002
【特許請求の範囲】
【請求項１】
メダル入口からメダル排出口へ向けてメダルを転動させるメダル通路と、前記メダル通路のメダル排出口側に設けられて前記メダル通路内を通過するメダルを検出するメダル計数センサとを備え、前記メダル入口から投入されたメダルを選別して送り出すメダルセレクタであって、
前記メダル計数センサよりも前記メダル入口側の前記メダル通路の片側に設けられたメダルセンサとを備え、
前記メダルセンサはアナログ信号を出力するセンサであり、その出力信号は飽和することなくメダルの移動に伴い連続的に変化することを特徴とするメダルセレクタ。
【請求項２】
前記メダルセンサは、前記メダル通路の上端に設けられ、メダルが通過する際にメダルの上端と前記メダルセンサの上端の間に隙間が形成されることを特徴とする請求項１記載のメダルセレクタ。    
【請求項３】
前記メダルセンサのアナログ信号が第１閾値になったときに信号を出力する第１コンパレータと、前記アナログ信号が第２閾値になったときに信号を出力する第２コンパレータと、前記アナログ信号が第３閾値になったときに信号を出力する第３コンパレータとを備え、
前記第１閾値は前記メダルセンサをメダルが通過し始めたときに相当する閾値であり、前記第２閾値は前記メダルセンサをメダルのほぼ中央が通過しているときに相当する閾値であり、前記第３閾値は前記メダルセンサをメダルが通過し終えたときに相当する閾値であることを特徴とする請求項１記載のメダルセレクタ。
【請求項４】
請求項１乃至請求項３いずれかに記載のメダルセレクタと、
前記メダル計数センサの出力に基づき投入されたメダルの枚数を計数する制御部と、を備える遊技機であって、
前記制御部は、前記メダルセンサの出力に基づき、前記メダルセンサをメダルが通過し始めた時刻ＴＡ、前記メダルセンサをメダルのほぼ中央が通過した時刻ＴＢ、及び、前記メダルセンサをメダルが通過し終えた時刻ＴＣを取得し、時刻ＴＡから時刻ＴＢまでの時間又は時刻ＴＢから時刻ＴＣまでの時間の少なくとも一方が予め定められた範囲にないとき、エラー処理を行うことを特徴とする遊技機。
【請求項５】
請求項１乃至請求項３いずれかに記載のメダルセレクタと、
前記メダル計数センサの出力に基づき投入されたメダルの枚数を計数する制御部と、を備える遊技機であって、
前記制御部は、前記メダルセンサの出力が予め定められた判定開始閾値を超えたときに、前記メダルセンサの出力が単調に増加するかどうか判定し、単調に増加しないときにエラー処理を行い、前記メダルセンサの出力のピークを過ぎた後は、前記メダルセンサの出力が単調に減少するかどうか判定し、単調に減少しないときにエラー処理を行うことを特徴とする遊技機。
【請求項６】
請求項１乃至請求項３いずれかに記載のメダルセレクタと、
前記メダル計数センサの出力に基づき投入されたメダルの枚数を計数する制御部と、を備える遊技機であって、
前記制御部は、前記メダルセンサの出力のピーク値を検出し、前記ピーク値が予め定められた期間以上連続したとき、エラー処理を行うことを特徴とする遊技機。
【請求項７】
メダル入口からメダル排出口へ向けてメダルを転動させるメダル通路と、前記メダル通路のメダル排出口側に設けられて前記メダル通路内を通過するメダルを検出するメダル計数センサと、前記メダル計数センサよりも前記メダル入口側の前記メダル通路の片側にメダルの進行方向に沿って設けられてそれぞれアナログ信号を出力する第１乃至第３メダルセンサとを含み、前記メダル入口から投入されたメダルを選別して送り出すメダルセレクタと、
前記メダル計数センサの出力に基づき投入されたメダルの枚数を計数する制御部と、を備える遊技機であって、
前記制御部は、前記第１乃至第３メダルセンサのアナログ信号のいずれかが予め定められた閾値になったときに、前記第１乃至第３メダルセンサのアナログ信号を予め定められたパターンと比較し、この比較結果に基づきエラー処理を行うことを特徴とする遊技機。
【請求項８】
前記制御部は、前記メダルセンサがメダルを検出している場合にのみ、前記メダル計数センサの出力に基づきメダルの枚数を計数することを特徴とする請求項４乃至請求項７いずれかに記載の遊技機。
【請求項９】
請求項１乃至請求項３いずれかに記載のメダルセレクタを備える遊技機における不正行為検出方法であって、
前記メダルセンサの出力に基づき、前記メダルセンサをメダルが通過し始めた時刻ＴＡ、前記メダルセンサをメダルのほぼ中央が通過した時刻ＴＢ、及び、前記メダルセンサをメダルが通過し終えた時刻ＴＣを取得するステップと、
時刻ＴＡから時刻ＴＢまでの時間又は時刻ＴＢから時刻ＴＣまでの時間の少なくとも一方について予め定められた範囲にあるかどうか判定するステップと、
前記予め定められた範囲にないとき、エラー処理を行うステップとを備えることを特徴とする遊技機における不正行為検出方法。
【請求項１０】
請求項１乃至請求項３いずれかに記載のメダルセレクタを備える遊技機における不正行為検出方法であって、
前記メダルセンサの出力が予め定められた判定開始閾値を超えたかどうか判定するステップと、
前記メダルセンサの出力が予め定められた判定開始閾値を超えたときに、前記メダルセンサの出力が単調に増加するかどうか判定するステップと、
前記メダルセンサの出力が単調に増加していないときにエラー処理を行うステップと、
前記メダルセンサの出力のピークを判定するステップと、
前記メダルセンサの出力がピークを過ぎた後は、前記メダルセンサの出力が単調に減少するかどうか判定するステップと、
前記メダルセンサの出力が単調に減少していないときにエラー処理を行うステップとを備えることを特徴とする遊技機における不正行為検出方法。
【請求項１１】
請求項１乃至請求項３いずれかに記載のメダルセレクタを備える遊技機における不正行為検出方法であって、
前記メダルセンサの出力のピーク値を検出するとともに前記ピーク値の連続数を測定するステップと、
前記ピーク値の連続数が予め定められた閾値以上であるとき、エラー処理を行うステップとを備えることを特徴とする遊技機における不正行為検出方法。
【請求項１２】
メダル入口からメダル排出口へ向けてメダルを転動させるメダル通路と、前記メダル通路のメダル排出口側に設けられて前記メダル通路内を通過するメダルを検出するメダル計数センサと、前記メダル計数センサよりも前記メダル入口側の前記メダル通路の片側にメダルの進行方向に沿って設けられてそれぞれアナログ信号を出力する第１乃至第３メダルセンサとを含むメダルセレクタを備える遊技機における不正行為検出方法であって、
前記第１乃至第３メダルセンサのアナログ信号のいずれかが予め定められた閾値になったかどうか判定するステップと、
前記第１乃至第３メダルセンサのアナログ信号のいずれかが予め定められた閾値になったときに、前記第１乃至第３メダルセンサのアナログ信号を予め定められたパターンと比較するステップと、
前記比較の結果に基づきエラー処理を行うステップとを備えることを特徴とする遊技機における不正行為検出方法。
【請求項１３】
請求項１乃至請求項３いずれかに記載のメダルセレクタを備える遊技機における不正行為検出方法をコンピュータに実行させるためのプログラムであって、
前記メダルセンサの出力に基づき、前記メダルセンサをメダルが通過し始めた時刻ＴＡ、前記メダルセンサをメダルのほぼ中央が通過した時刻ＴＢ、及び、前記メダルセンサをメダルが通過し終えた時刻ＴＣを取得するステップと、
時刻ＴＡから時刻ＴＢまでの時間又は時刻ＴＢから時刻ＴＣまでの時間の少なくとも一方について予め定められた範囲にあるかどうか判定するステップと、
前記予め定められた範囲にないとき、エラー処理を行うステップとを実行させるためのプログラム。
【請求項１４】
請求項１乃至請求項３いずれかに記載のメダルセレクタを備える遊技機における不正行為検出方法をコンピュータに実行させるためのプログラムであって、
前記メダルセンサの出力が予め定められた判定開始閾値を超えたかどうか判定するステップと、
前記メダルセンサの出力が予め定められた判定開始閾値を超えたときに、前記メダルセンサの出力が単調に増加するかどうか判定するステップと、
前記メダルセンサの出力が単調に増加していないときにエラー処理を行うステップと、
前記メダルセンサの出力のピークを判定するステップと、
前記メダルセンサの出力がピークを過ぎた後は、前記メダルセンサの出力が単調に減少するかどうか判定するステップと、
前記メダルセンサの出力が単調に減少していないときにエラー処理を行うステップとを実行させるためのプログラム。
【請求項１５】
請求項１乃至請求項３いずれかに記載のメダルセレクタを備える遊技機における不正行為検出方法をコンピュータに実行させるためのプログラムであって、
前記メダルセンサの出力のピーク値を検出するとともに前記ピーク値の連続数を測定するステップと、
前記ピーク値の連続数が予め定められた閾値以上であるとき、エラー処理を行うステップとを実行させるためのプログラム。
【請求項１６】
メダル入口からメダル排出口へ向けてメダルを転動させるメダル通路と、前記メダル通路のメダル排出口側に設けられて前記メダル通路内を通過するメダルを検出するメダル計数センサと、前記メダル計数センサよりも前記メダル入口側の前記メダル通路の片側にメダルの進行方向に沿って設けられてそれぞれアナログ信号を出力する第１乃至第３メダルセンサを含むメダルセレクタを備える遊技機における不正行為検出方法をコンピュータに実行させるためのプログラムであって、
前記第１乃至第３メダルセンサのアナログ信号のいずれかが予め定められた閾値になったかどうか判定するステップと、
前記第１乃至第３メダルセンサのアナログ信号のいずれかが予め定められた閾値になったときに、前記第１乃至第３メダルセンサのアナログ信号を予め定められたパターンと比較するステップと、
前記比較の結果に基づきエラー処理を行うステップとを実行させるためのプログラム。
【発明の詳細な説明】
【技術分野】
【０００１】
この発明は、スロットマシン等の遊技機、これに用いられるメダルセレクタ及び遊技機における不正行為検出方法並びにプログラムに関する。
【背景技術】
【０００２】
スロットマシン等の遊技機は、遊技者が所定の枚数のメダルを遊技機に投入してゲームを楽しむことができるものである。遊技に必要なメダルは、遊技ホール内に設けられたメダル貸機等で借りることができ、所望の遊技機のメダル投入口に投入することによりゲームを開始することができる。遊技機は、投入されたメダルを判別するとともに、その枚数を計数するためのメダルセレクタを備えている。
【０００３】
この種のメダルセレクタは、メダル投入口から投入されたメダルを受けるメダル入口と、受けたメダルが転動する、下り傾斜したメダル通路とを備えている。メダル通路の出口近傍には、メダルを計数するためのセンサ（例えばフォトインタラプタ）が設けられ、ここで投入されたメダルの枚数が計数される。現在の遊技機のメダルセレクタには２つのセンサが設けられていて、メダルの検知は２つのセンサの検出順序により行われている。投入されたメダルが所定枚数に達するとゲームを開始することができる。追加で投入されたメダルはクレジットとして扱われる。
【０００４】
図２０はスロットマシンが備える従来のメダルセレクタの斜視図である。図２１（ａ）は従来のメダルセレクタの動作説明図である。図２０及び図２１（ａ）において、１はメダルセレクタ、１１はこれに設けられたメダル通路、１２はメダルセレクタ１のメダル出口、Ｓ１及びＳ２はメダル通路１１に設けられたメダル検出のためのメダル計数センサ（フォトインタラプタ）である。なお、Ｍは投入されたメダルを示す。メダルセレクタ１の上部から投入されたメダルＭは、メダル通路１１に沿って落下し、途中で進行方向を斜め横に変えられ、メダル出口１２から排出される。なお、大きさが異なる非正規のメダルはメダル通路の途中で落下し、メダル返却口に送られる。
【０００５】
メダル出口１２の近傍には２つのメダル計数センサＳ１，Ｓ２がメダルの進行方向に沿って並んで設けられている。図２１（ｂ）はメダルＭが通過したときのセンサＳ１，Ｓ２の出力信号のタイミングチャートを示す。手前側に設けられているセンサＳ１の信号の位相は、Ｓ２のそれよりも進んでいる。センサＳ１，Ｓ２により途中で阻止されずに送られてきたメダルの通過が検出される。Ｓ１，Ｓ２を２つ隣接させて設けているので、メダルの通過速度や通過方向を検出することができ、これらに基づきメダル枚数だけでなく、メダルの逆流や不正行為を検出することができる。また、メダル計数センサＳ１，Ｓ２をメダル入り口から遠い側に設けることにより、不正行為をやりにくくしている。
【０００６】
遊技者のごく一部に不正行為（いわゆるゴト行為）を行う者がいた。例えば、メダル投入口から異物を挿入し、センサを誤動作させて正規のメダルを投入することなくゲームを行おうとする者がいた。実際には、棒状の異物で２つのセンサＳ１，Ｓ２を往復することによって、実際にメダルを入れているかのように誤認させる方法が採られている。例えば、図２１（ｃ）に示すように針金９０の先端に板９１（これらをまとめて異物と表現することがある）を取り付けたものを同図の点線の経路に沿って動かすと、センサＳ１，Ｓ２から図２１（ｂ）と同様な波形が出力される。
【０００７】
現在の遊技機において、メダルの検知は２つのセンサＳ１，Ｓ２の検出順序に基づき行っている。不正行為としては上述のように棒状の異物９０，９１でこの２つのセンサＳ１，Ｓ２を反応させることによって、実際にメダルを入れていると誤認させる方法が採られている。センサＳ１，Ｓ２が上部に並んでいるため、異物９０，９１を戻す際にこれをセンサＳ１，Ｓ２の検知できないところまで下げることで逆流エラーの検出（図２１（ｂ）のＳ１，Ｓ２の位相が逆になったもの）を避けることが可能になってしまう。
【０００８】
遊技機に対する不正行為の手法も時とともに巧妙になってきている。最近報告された不正行為として、メダル投入口から不正行為用の器具を挿入し、メダルセレクタのメダル計数機能を不正に操作し誤動作させ、メダルを投入していないにもかかわらず不正に多数のクレジットを得るという手口がある。
【０００９】
先端に赤外線ＬＥＤなどの発光素子を２つ設けた器具を挿入し、これらをセンサＳ１，Ｓ２に向けて点滅させることにより図２１（ｂ）の信号を作り出し、不正なクレジットを得ているようである。不正に得たクレジットで遊技を行うことができるが、多くの場合、キャンセルボタンによりメダルの返却を受けているようである。メダルセレクタに対する不正行為の発見は遅れるケースが多く、被害の拡大が懸念されている。
【００１０】
上記のような不正行為用の道具は、メダル通過を検知するセンサ部分のみを誤動作させるものであるため、そのセンサ以外の場所でメダルの通過を検知するように構成すれば不正行為を防止できるようになる。そこで、不正行為を防止するために、メダル通路において、メダル通路を塞ぐように付勢された退避可能な移動部材と、退避位置にある移動部材を検知するセンサを設け、該センサが所定時間以上継続して検知していたらエラーとすることも可能であるが、このような構成は、結果的に、メダルの流れを移動部材との接触によって阻害することになる。
【特許文献１】特開２００４−１６６８０６
【発明の開示】
【発明が解決しようとする課題】
【００１１】
前述のようにメダル通路を塞ぐように付勢された退避可能な移動部材を設けるなどにより、メダル通路に物理的なシャッタを設けるようにすると、メダルの流下が物理的に阻害されてメダル詰まりの原因となるという問題もある。
【００１２】
本発明は、メダル詰まり等の不具合を起こすことなく、前述のような不正行為による利益を与えることがなく、その結果不正行為を抑止することのできるメダルセレクタ、遊技機及び遊技機における不正行為防止方法並びにプログラムを提供することを目的とする。
【課題を解決するための手段】
【００１３】
この発明は、メダル入口からメダル排出口へ向けてメダルを転動させるメダル通路と、前記メダル通路のメダル排出口側に設けられて前記メダル通路内を通過するメダルを検出するメダル計数センサとを備え、前記メダル入口から投入されたメダルを選別して送り出すメダルセレクタであって、前記メダル計数センサよりも前記メダル入口側の前記メダル通路の片側に設けられたメダルセンサとを備え、
前記メダルセンサはアナログ信号を出力するセンサであり、その出力信号は飽和することなくメダルの移動に伴い連続的に変化するものである。
【００１４】
前記メダルセンサは従来のセンサに比べて大きいものを使用する。前記メダルセンサの検出領域は、メダルが前記メダルセンサを通過する際において、その出力が飽和しない程度の大きさである。したがって、アナログ出力のピーク（メダルに覆われる量が最大になったとき）でもメダルセンサのアナログ出力は飽和しない。端的に言えば、ピークのときでもメダルセンサの全ての領域がメダルで覆われることがない。少なくとも一部は開放されている。具体的には、図５に示すように、メダルセンサＳ１０はメダル通路１１の上端に設けられ、メダル通路１１の内径がメダルの外径よりも大きいため、図６（ｂ）に示すメダルがメダルセンサＳ１０の中央に到達したとき（メダルがメダルセンサＳ１０を最も多く覆うとき）でも、メダルの上端とメダルセンサＳ１０の上端の間には隙間が形成されるようになっている。したがってメダルセンサＳ１０の検出領域が１００％メダルで覆われることがなく、メダルセンサＳ１０の出力信号は飽和することがないのである。
【００１５】
前記メダルセンサのアナログ信号をデジタル信号に変換するアナログ−デジタル変換器を備えるようにしてもよい。
【００１６】
前記メダルセンサのアナログ信号が第１閾値になったときに信号を出力する第１コンパレータと、前記アナログ信号が第２閾値になったときに信号を出力する第２コンパレータと、前記アナログ信号が第３閾値になったときに信号を出力する第３コンパレータとを備えるようにしてもよい。
前記第１閾値は前記メダルセンサをメダルが通過し始めたときに相当する閾値であり、前記第２閾値は前記メダルセンサをメダルのほぼ中央が通過しているときに相当する閾値であり、前記第３閾値は前記メダルセンサをメダルが通過し終えたときに相当する閾値である。
【００１７】
この発明は、上記メダルセレクタと、
前記メダル計数センサの出力に基づき投入されたメダルの枚数を計数する制御部と、を備える遊技機であって、
前記制御部は、前記メダルセンサの出力に基づき、前記メダルセンサをメダルが通過し始めた時刻ＴＡ、前記メダルセンサをメダルのほぼ中央が通過した時刻ＴＢ、及び、前記メダルセンサをメダルが通過し終えた時刻ＴＣを取得し、時刻ＴＡから時刻ＴＢまでの時間又は時刻ＴＢから時刻ＴＣまでの時間の少なくとも一方が予め定められた範囲にないとき、エラー処理を行うものである。
【００１８】
この発明は、上記メダルセレクタと、
前記メダル計数センサの出力に基づき投入されたメダルの枚数を計数する制御部と、を備える遊技機であって、
前記制御部は、前記メダルセンサの出力が予め定められた判定開始閾値を超えたときに、前記メダルセンサの出力が単調に増加するかどうか判定し、単調に増加しないときにエラー処理を行い、前記メダルセンサの出力のピークを過ぎた後は、前記メダルセンサの出力が単調に減少するかどうか判定し、単調に減少しないときにエラー処理を行うものである。
【００１９】
この発明は、上記メダルセレクタと、
前記メダル計数センサの出力に基づき投入されたメダルの枚数を計数する制御部と、を備える遊技機であって、
前記制御部は、前記メダルセンサの出力のピーク値を検出し、前記ピーク値が予め定められた期間以上連続したとき、エラー処理を行うものである。
【００２０】
この発明は、メダル入口からメダル排出口へ向けてメダルを転動させるメダル通路と、前記メダル通路のメダル排出口側に設けられて前記メダル通路内を通過するメダルを検出するメダル計数センサと、前記メダル計数センサよりも前記メダル入口側の前記メダル通路の片側にメダルの進行方向に沿って設けられてそれぞれアナログ信号を出力する第１乃至第３メダルセンサとを含み、前記メダル入口から投入されたメダルを選別して送り出すメダルセレクタと、
前記メダル計数センサの出力に基づき投入されたメダルの枚数を計数する制御部と、を備える遊技機であって、
前記制御部は、前記第１乃至第３メダルセンサのアナログ信号のいずれかが予め定められた閾値になったときに、前記第１乃至第３メダルセンサのアナログ信号を予め定められたパターンと比較し、この比較結果に基づきエラー処理を行うものである。
【００２１】
前記制御部は、好ましくは、前記メダルセンサがメダルを検出している場合にのみ、前記メダル計数センサの出力に基づきメダルの枚数を計数する。
【００２２】
この発明は、上記を備える遊技機における不正行為検出方法であって、
前記メダルセンサの出力に基づき、前記メダルセンサをメダルが通過し始めた時刻ＴＡ、前記メダルセンサをメダルのほぼ中央が通過した時刻ＴＢ、及び、前記メダルセンサをメダルが通過し終えた時刻ＴＣを取得するステップと、
時刻ＴＡから時刻ＴＢまでの時間又は時刻ＴＢから時刻ＴＣまでの時間の少なくとも一方について予め定められた範囲にあるかどうか判定するステップと、
前記予め定められた範囲にないとき、エラー処理を行うステップとを備えるものである。
【００２３】
この発明は、上記メダルセレクタを備える遊技機における不正行為検出方法であって、
前記メダルセンサの出力が予め定められた判定開始閾値を超えたかどうか判定するステップと、
前記メダルセンサの出力が予め定められた判定開始閾値を超えたときに、前記メダルセンサの出力が単調に増加するかどうか判定するステップと、
前記メダルセンサの出力が単調に増加していないときにエラー処理を行うステップと、
前記メダルセンサの出力のピークを判定するステップと、
前記メダルセンサの出力がピークを過ぎた後は、前記メダルセンサの出力が単調に減少するかどうか判定するステップと、
前記メダルセンサの出力が単調に減少していないときにエラー処理を行うステップとを備えるものである。
【００２４】
この発明は、上記メダルセレクタを備える遊技機における不正行為検出方法であって、
前記メダルセンサの出力のピーク値を検出するとともに前記ピーク値の連続数を測定するステップと、
前記ピーク値の連続数が予め定められた閾値以上であるとき、エラー処理を行うステップとを備えるものである。
【００２５】
この発明は、メダル入口からメダル排出口へ向けてメダルを転動させるメダル通路と、前記メダル通路のメダル排出口側に設けられて前記メダル通路内を通過するメダルを検出するメダル計数センサと、前記メダル計数センサよりも前記メダル入口側の前記メダル通路の片側にメダルの進行方向に沿って設けられてそれぞれアナログ信号を出力する第１乃至第３メダルセンサとを含むメダルセレクタを備える遊技機における不正行為検出方法であって、
前記第１乃至第３メダルセンサのアナログ信号のいずれかが予め定められた閾値になったかどうか判定するステップと、
前記第１乃至第３メダルセンサのアナログ信号のいずれかが予め定められた閾値になったときに、前記第１乃至第３メダルセンサのアナログ信号を予め定められたパターンと比較するステップと、
前記比較の結果に基づきエラー処理を行うステップとを備えるものである。
【００２６】
この発明は、上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００２７】
また、電話回線等の有線通信媒体、マイクロ波回線等の無線通信媒体等の通信媒体を含む。インターネットもここでいう通信媒体に含まれる。
【００２８】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００２９】
この発明によれば、メダル計数センサの上流にメダルセンサを設けることにより異物の侵入を検出することができる。正規のサイズ以外のメダルもしくはメダルの逆流も検出することができる。さらに、メダルセンサによるメダル検出があったときにのみメダルを計数することで、不正行為によるメダルの計数を行うことがなくなる。以上の結果、不正行為を抑止することができる。
【発明を実施するための最良の形態】
【００３０】
発明の実施の形態１．
発明の実施の形態に係るメダルセレクタ及びこれを備える遊技機（スロットマシン）について図面を参照して説明する。
【００３１】
図１及び図２において、１００はスロットマシンを示す。このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、ほぼ中央にゲーム表示部１３１を設け、ゲーム表示部１３１の右下方に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００３２】
また、前記ゲーム表示部１３１の左下方には、ゲームを開始するためのスタートスイッチ１３４を設けてあり、前扉の下端部中央には、メダルの払出し口１３５を設けてある。スタートスイッチ１３４の上側にはメダル投入に代えるベットスイッチ１３７が設けてあり、スタートスイッチ１３４の左側にはキャンセルボタン１３８を設けてある。キャンセルボタン１３８を押すとメダル投入口１３２から投入したメダルが払出し口１３５に返却される。
【００３３】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。
【００３４】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００３５】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００３６】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状のゲーム表示部（表示窓）１３１が形成されている。そして、この中央部のゲーム表示部の中央には、三個の回転リールの図柄を見ることができる窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００３７】
図３はスロットマシンの機能ブロック図を示す。２００、２０１はそれぞれＣＰＵ、ＲＯＭ及びＲＡＭを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。
【００３８】
メダルセレクタ１に設けられたメダル計数用のメダル計数センサＳ１，Ｓ２の出力信号はメイン基板２００に入力される。メイン基板２００は、センサＳ１、Ｓ２の出力に基づき投入されたメダルの枚数を計数する制御部として機能する。さらに、メダルセレクタ１に設けられたメダルセンサＳ１０の出力信号もメイン基板２００に入力される（メダルセンサＳ１０について後に詳しく説明する）。メイン基板２００は、メダルセンサＳ１０によるメダル検出があったときにのみメダルを計数する。これにより不正行為によるメダルの計数を行うことがなくなり、その結果不正行為を抑止することができる。
【００３９】
図４は発明の実施の形態に係るスロットマシンが備えるメダルセレクタ１の斜視図である。図５はメダルセレクタ１を模式的に描いた正面図である。図４及び図５において、１はメダルセレクタ、１１はこれに設けられたメダル通路、１２はメダルセレクタ１のメダル出口、Ｓ１及びＳ２はメダル通路１１に設けられたフォトインタラプタ（メダル検出のためのセンサ）である。なお、Ｍは投入されたメダルを示す。メダルセレクタ１の上部から投入されたメダルＭは、メダル通路１１に沿って落下し、途中で進行方向を斜め横に変えられ、メダル出口（メダル排出口）１２から排出される。なお、大きさが異なる非正規のメダルはメダル通路の途中で落下し、メダル返却口に戻る。
【００４０】
メダル出口１２の近傍には２つのメダル計数センサＳ１，Ｓ２がメダルの進行方向に沿って設けられている。これらはメダルの枚数を計数するためのものである。メダル計数センサＳ１、Ｓ２は、例えば、互いに対向した発光部と受光部とを有して断面コ字状に形成され、その検出光軸をメダル通路１１内に上方から臨ませて位置するフォトインタラプタである。断面はコの字状でなくてもよいし、受光部だけを設けてもよい。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。また、メダル計数センサＳ１，Ｓ２をメダル入り口から遠い側に設けることにより、不正行為をやりにくくしている。
【００４１】
メダル計数センサＳ１，Ｓ２の上流側にメダルセンサＳ１０が設けられている。メダルセンサＳ１０は非接触式のセンサであり、例えば光学式のフォトインタラプタ（メダルの遮光割合により出力が変化するフォトダイオードもしくはフォトトランジスタなどの受光素子を含むもの）である。メダルセンサＳ１０の検出領域（フォトインタラプタであれば受光素子の開口）は大きく、その出力信号レベルでメダルの通過状態を十分に区別できるものである。すなわち、メダルセンサＳ１０の出力はアナログ信号であり、その電圧値又は電流値のレベルを調べれば通過中のメダルがメダルセンサＳ１０の検出領域をどの程度覆っているのか判定することができるのである。メダルセンサＳ１０の出力信号については更に後述する。これに対し、メダル計数センサＳ１，Ｓ２の検出領域は小さく、単にメダルの到達を検出するものである。メダル計数センサＳ１、Ｓ２でメダルの通過状態を検出する必要はない。また、その出力はＨレベル又はＬレベルの２値のデジタル信号であることが多い。なお、メダル計数センサＳ１，Ｓ２の上流側であればメダルセンサＳ１０を図４及び図５で示した以外の個所に設けるようにしてもよい。
【００４２】
メダルセンサＳ１０の出力信号について図６及び図７を参照して説明する。図６（ａ）乃至（ｃ）はメダルセンサＳ１０とメダルの位置関係（本明細書において、以後メダルの通過状態と記すことがある）の説明図である。図６（ａ）はメダルＭがメダルセンサＳ１０に達してその一部を覆った状態（本明細書において、以後メダルのセンサ通過開始時と記すことがある）を示し、同図（ｂ）はメダルＭがメダルセンサＳ１０を覆う面積が最大になった状態（本明細書において、以後メダルのセンサ中央時と記すことがある）を示し、同図（ｃ）はメダルＭがメダルセンサＳ１０を離れようとしている状態でその一部を覆った状態（本明細書において、以後メダルのセンサ通過終了時と記すことがある）を示す。図７（ａ）はメダルが通過した際のメダルセンサＳ１０の出力信号を示し、図７（ｂ）はメダル以外の異物（例えば棒状のもの）によるメダルセンサＳ１０の出力信号の一例を示す。
【００４３】
メダルがメダルセンサＳ１０を通過する際にはメダルセンサＳ１０の検出領域の覆われる領域が連続的に変化するので、その出力は図７（ａ）に示すようなピークをもつ滑らかな曲線になる。図７（ａ）において、符号ａ，ｂ，ｃはそれぞれ図６（ａ）（ｂ）（ｃ）の状態におけるアナログ出力レベルを示す。ピークの前では信号レベルは単調に増加し、ピークの後では信号レベルは単調に減少する。単調に増加（又は減少）するとは、アナログ信号を一定間隔でサンプリングしたときに、新しくサンプリングしたデータが前回サンプリングしたデータよりも大きい（又は小さい）ことを意味する。もっとも現実のアナログ信号には雑音等が存在するので、メダルセンサＳ１０のアナログ出力が厳密な意味で単調に増加又は減少するとは限らないが、例えば雑音を除去するとか、平均値を求めるなどを行えば、単調に増加又は減少すると言って問題はない。図７（ａ）のグラフのピークが１００％に達していない（メダルセンサＳ１０の出力が飽和していない）ことに注意されたい。飽和とは、最大限度まで満たされている状態。ある状態量を増加させる要因を増してもその状態量が一定限度に止まり、それ以上ふえない状態のことである。これは、メダルセンサＳ１０がメダルに最大限覆われたときでも、その一部は覆われないように、メダル通路内に配置されているためである。具体的には、メダルセンサＳ１０が十分大きく、メダルセンサＳ１０がメダル通路１１の上端に設けられていれば、円盤状のメダルで覆い切れない部分が存在する（メダル通路１１の内径はメダルの外径よりも大きくメダル通路１１の上端とメダルの上端の間に隙間が生じるためである）。他方、メダルよりも大きな棒状又は板状の異物であればメダルセンサＳ１０を完全に覆うことになり、この場合そのピークは１００％に達することになる。このような観点からメダルセンサＳ１０の大きさ及び特性は決定されるべきである。
【００４４】
図７（ｂ）は棒状又は板状の異物を検出したときのメダルセンサＳ１０の出力を示す。メダルと違って、異物はメダルセンサＳ１０を長時間にわたって覆うのでピークの時間が長い。図７（ａ）のメダルの検出信号には単調増加と単調減少の部分しかないが、図７（ｂ）にはそれら以外にレベルの一定な部分がある。図示していないが、異物を動かせば単調増加と単調減少が繰り返し現れることもある。異物が板状のものでありメダルセンサＳ１０の完全に覆う場合、出力のピークは１００％に達するので、飽和状態となる（図７（ｂ）の点線）。
【００４５】
図７（ａ）と（ｂ）を比較するとメダルを検出する場合には概ね次のことが言える。
（１）メダルセンサＳ１０の出力時間はほぼ決まっている。センサ通過開始時（符号ａ）からセンサ中央時（符号ｂ）までの時間、センサ中央時（符号ｂ）からセンサ通過終了時（符号ｃ）までの時間、及び／又はセンサ通過開始時（符号ａ）からセンサ通過終了時（符号ｃ）までの時間は、予め定められた範囲に収まる。
（２）ピークの前では信号レベルは単調に増加し、ピークの後では信号レベルは単調に減少する。
（３）メダルセンサＳ１０の出力が飽和（１００％に達する）ことはない。
【００４６】
したがって、上記（１）乃至（３）の条件を満たすかどうか判定することにより、メダルセンサＳ１０が検出したものがメダルであるのか、メダル以外の異物であるかを判断することができる。
【００４７】
以下、具体的な処理内容を説明する。
上記（１）の条件に基づき処理を行うための回路ブロック図を図８に示し、その処理フローチャートを図９に示し、その説明図を図１０に示す。
【００４８】
上記（１）乃至（３）は大きな受光素子（フォトセンサを用いる場合）を使用し、受光素子上をメダルが通過しているときの遮光の割合に応じて受光素子に入る光が変化し、これに伴い出力電流が変化する特性を利用するものである。そのため、受光素子からのアナログ信号をアナログ−デジタル変換（A-D変換）することが好ましいが、上記（１）の場合に監視するポイントは（ａ）センサ−通過開始時、（ｂ）センサの中央、（ｃ）センサ通過終了時の３点であるから、ＡＤ変換器に代えて、図８に示すように３つのコンパレータを用いることもできる。
【００４９】
図８において、ＣＭＰ１乃至ＣＭＰ３はコンパレータであり、アナログ信号がそれぞれ与えられた閾値１乃至閾値３に達したときにその旨の信号（例えばデジタルのＨレベル信号）を出力するものである。図１０に示すＡ，Ｂ，ＣのそれぞれでコンパレータＣＭＰ１乃至ＣＭＰ３から信号が出力される。これらの信号を受けてメイン基板（制御部）２００は、（１）センサ通過開始時（符号Ａ）からセンサ中央時（符号Ｂ）までの時間、及び、センサ中央時（符号Ｂ）からセンサ通過終了時（符号Ｃ）までの時間が、予め定められた範囲に収まっているかどうか調べる。
【００５０】
具体的には、図９の処理を実行する。メダルセンサＳ１０の出力を監視する（ＳＴＥＰ１）。図８の回路を備える場合はコンパレータＣＭＰ１乃至ＣＭＰ３の出力を監視する。閾値１と一致したときメダルがメダルセンサ通過開始と判断し、その時刻ＴＡを記憶する（ＳＴＥＰ２）。図８の回路の場合、コンパレータＣＭＰ１の出力がＨレベルになったときの時刻をＴＡとして記憶する。閾値２と一致したときメダルがメダルセンサ中央に達したと判断し、その時刻ＴＢを記憶する（ＳＴＥＰ３）。図８の回路の場合、コンパレータＣＭＰ２の出力がＨレベルになったときの時刻をＴＢとして記憶する。閾値３と一致したときメダルがメダルセンサ通過終了と判断し、その時刻ＴＣを記憶する（ＳＴＥＰ４）。図８の回路の場合、コンパレータＣＭＰ３の出力がＨレベルになったときの時刻をＴＣとして記憶する。ＴＡからＴＢまでの時間及びＴＢからＴＣまでの時間が予め定められた範囲かどうか調べ、予め定められた範囲にないとき（ＳＴＥＰ５でＮＯ）、エラー処理を行う（ＳＴＥＰ６）。予め定められた範囲にあるとき（ＳＴＥＰ５でＹＥＳ）、正規のメダルであるとして、図示しないメダル計数処理（公知）を実行する。
【００５１】
図１０（ａ）に示すように閾値１乃至３を定めれば、ＴＡとＴＢの時間とＴＢとＴＣの時間はほぼ同じになり、しかもその時間はほぼ一定値になる（メダルの通過速度に依存して変化するが、メダルの通過速度の変動幅内に収まるはずである）。図１０（ａ）の例はＳＴＥＰ５でＹＥＳと判定される。これに対し、図１０（ｂ）に示す異物の場合は、ＴＡとＴＢの時間とＴＢとＴＣの時間は大きく異なるようになるし、ＴＢとＴＣの時間は前記一定値を大きく超えている。図１０（ｂ）の例はＳＴＥＰ５でＮＯと判定される。
【００５２】
なお、コンパレータＣＭＰ１として信号レベルが上昇するときに信号を出力するタイプ（ポジティブエッジ動作タイプ）の素子を用い、コンパレータＣＭＰ３として信号レベルが下降するときに信号を出力するタイプ（ネガティブエッジ動作タイプ）の素子を用いるとよい。
【００５３】
上記（２）の条件に基づき処理を行うための回路ブロック図を図１１に示し、その処理フローチャートを図１２に示し、その説明図を図１４に示す。
【００５４】
図１１において、ＡＤＣはメダルセンサＳ１０のアナログ信号をデジタル値に変換するアナログ−デジタル変換器（ＡＤ変換器）である。ＡＤ変換器ＡＤＣの出力はメイン基板（制御部）２００に入力される。
【００５５】
メイン基板２００は、図１２の処理を実行する。メダルセンサＳ１０の出力を監視する（ＳＴＥＰ１０）。出力が増加し始めたか？（判定開始閾値を超えたか？）どうか判定する（ＳＴＥＰ１１）。前述の閾値１乃至３よりも小さな判定開始閾値を予め定めておき、これを超えたときメダルセンサＳ１０が物体を検出したとして以下の処理を開始する。ピーク値＝０すなわち最小値に初期設定するとともに、単調減少フラグ＝０とする（ＳＴＥＰ１２）。予め定めた間隔Ｔごとに出力をサンプリングする（ＳＴＥＰ１３）。サンプリングした値を前記ピーク値と比較し、単調減少フラグ＝０かつサンプリング値＞ピーク値のとき（ＳＴＥＰ１４でＹＥＳ）、ＳＴＥＰ１５乃至ＳＴＥＰ１８の処理を行う。これらの処理はメダルセンサＳ１０の出力が単調増加しているかどうか判定する処理である。一度単調減少に転じた後はＳＴＥＰ１４で常にＮＯとなる。ＳＴＥＰ１４でＮＯのとき、ＳＴＥＰ１９乃至ＳＴＥＰ２１の処理を行う。これらの処理はメダルセンサＳ１０の出力が単調減少しているかどうか判定する処理である。
【００５６】
ＳＴＥＰ１４でＹＥＳのとき、ピーク値＝サンプリング値としピーク値を更新する（ＳＴＥＰ１５）。今回のサンプリング値と前回のサンプリング値の差分（図１４（ａ）の符号ａ）を求める（ＳＴＥＰ１６）。差分が予め定めた一定値以上であれば（ＳＴＥＰ１７でＹＥＳ）単調増加していて正常と言えるので上記ＳＴＥＰ１３以下の処理を繰り返す。差分がゼロ又は一定値以下であれば（ＳＴＥＰ１７でＮＯ）、図７（ａ）のような信号でなく、図７（ｂ）のような信号（特にその平坦部が該当する）であると判断できるので、エラー処理を行う（ＳＴＥＰ１８）。
【００５７】
ＳＴＥＰ１４でＮＯのとき、単調減少フラグ＝１とする（ＳＴＥＰ１９）。今回のサンプリング値と前回のサンプリング値の差分を求める（ＳＴＥＰ２０）。差分がマイナス、かつ、その絶対値が予め定めた一定値以上であれば（ＳＴＥＰ２１でＹＥＳ）単調減少していて正常と言えるので上記ＳＴＥＰ１３以下の処理を繰り返す。ＳＴＥＰ２１では差分の符号を考慮せずにその絶対値で判断する。差分の絶対値がゼロ又は一定値以下であれば（ＳＴＥＰ２１でＮＯ）、図７（ａ）のような信号でなく、図７（ｂ）のような信号（特にその平坦部が該当する）であると判断できるので、エラー処理を行う（ＳＴＥＰ２２）。
【００５８】
出力が判定開始閾値よりも小さくなったら判定処理を終了し、正規のメダルであるとして、図示しないメダル計数処理（公知）を実行する。
【００５９】
図１４（ａ）に示すようにメダルの通過信号であれば、ピークpeakに至る前では差分ａは一定以上のプラスの値をとり、ピークpeakを超えた後では差分ａはマイナスであって、その絶対値は一定以上となる。図１４（ａ）の例はＳＴＥＰ１７と２１でＹＥＳと判定される。これに対し、図１４（ｂ）の左側に示すようにピークpeakの後に再び増加に転じ、２つめのピークpeak２をもつような場合はＳＴＥＰ２１でＮＯと判定される。
【００６０】
ＳＴＥＰ１４でＹＥＳのとき、ピーク値＝サンプリング値としピーク値を更新する（ＳＴＥＰ１５）。今回のサンプリング値と前回のサンプリング値の差分（図１４（ａ）の符号ａ）を求める（ＳＴＥＰ１６）。差分が予め定めた一定値以上であれば（ＳＴＥＰ１７でＹＥＳ）単調増加していて正常と言えるので上記ＳＴＥＰ１３以下の処理を繰り返す。差分がゼロ又は一定値以下であれば（ＳＴＥＰ１７でＮＯ）、図７（ａ）のような信号でなく、図７（ｂ）のような信号（特にその平坦部が該当する）であると判断できるので、エラー処理を行う（ＳＴＥＰ１８）。
【００６１】
上記（３）の条件に基づき処理を行うための処理フローチャートを図１３に示し、その説明図を図１４（ｂ）に示す。回路は図１１に示したものと同じである。
【００６２】
図１３において、まず、メダルセンサＳ１０の出力を監視する（ＳＴＥＰ３０）。出力が増加し始めたか？（判定開始閾値を超えたか？）どうか判定する（ＳＴＥＰ３１）。判定開始閾値については前述した。予めピーク値≒飽和レベルに設定するとともに、ピーク値連続数＝１とする（ＳＴＥＰ３２）。予め定めた間隔Ｔごとに出力をサンプリングする（ＳＴＥＰ３３）。サンプリングした値を前記ピーク値と比較する（ＳＴＥＰ３４）。サンプリング値＜ピーク値のときＳＴＥＰ３９に進む。サンプリング値＞ピーク値のときＳＴＥＰ３８に進む。サンプリング値＝ピーク値のときＳＴＥＰ３６に進む。
【００６３】
サンプリング値＞ピーク値であれば、サンプリング値は飽和レベルを超えたことになるから、ＳＴＥＰ３８でエラー処理を行う。
【００６４】
サンプリング値＝ピーク値であれば、メダルセンサＳ１０のアナログ信号が飽和したことを意味するから、ピーク値連続数を＋１とする（ＳＴＥＰ３６）。ピーク値連続数が予め定められた閾値を超えた場合（ＳＴＥＰ３７でＹＥＳ）、エラー処理を行う（ＳＴＥＰ３８）。ピーク値連続数＞閾値を条件にしたのは、雑音等により一時的に飽和レベルに達したときにエラー処理を行わないようにするためである。
【００６５】
出力が判定開始閾値よりも小さくなったら判定処理を終了し、正規のメダルであるとして、図示しないメダル計数処理（公知）を実行する。
【００６６】
この発明の実施の形態１によれば、メダル計数センサの上流に大きな検出領域をもちメダル通過の際にその出力が飽和しないアナログ型のメダルセンサを設け、これに基づいて前述（１）乃至（３）の判定を行うことにより異物の侵入を検出することができる。正規のサイズ以外のメダルもしくはメダルの逆流も検出することができる。さらに、メダルセンサによるメダル検出があったときにのみメダルを計数することで、不正行為によるメダルの計数を行うことがなくなる。以上の結果、不正行為を抑止することができる。
【００６７】
発明の実施の形態２．
発明の実施の形態１は、通路上に比較的大きな検出領域をもつアナログ型のメダルセンサをひとつ設けたものであったが、発明の実施の形態２はアナログ型のメダルセンサを複数（好適には３つ以上）設けるものである。発明の実施の形態２のメダルセンサの検出領域は必ずしも大きなものでなくてよい。アナログ型の複数のメダルセンサを間隔をあけて設けることによりセンサ全体の検出領域を広げることになる。
【００６８】
発明の実施の形態２に係るメダルセレクタの斜視図を図１５に示す。メダル計数センサＳ１、Ｓ２の上流側に３個のセンサＳ１０−１乃至Ｓ１０−３を順番に配置している。メダル通路１１の片側に寄せて設けている。
【００６９】
発明の実施の形態２に係る処理を行うための回路ブロック図を図１６（ａ）（ｂ）に示し、その処理フローチャートを図１７に示し、その説明図を図１８及び図１９に示す。
【００７０】
メダルセンサＳ１０−１乃至Ｓ１０−３はアナログ信号を出力するものであるから、図１６（ａ）に示すように当該出力をアナログ−デジタル変換（A-D変換）することが好ましい。しかし、前述（１）の場合と同様に監視すべきポイントが限定される（例えば、メダル通過の最大レベル（８０％程度：閾値２）と、その半分のレベル（４０％程度：閾値１））から、ＡＤ変換器に代えて、図１６（ｂ）に示すように３つのコンパレータを用いることもできる。
【００７１】
図１６において、ＣＭＰ１１乃至ＣＭＰ１３はコンパレータであり、アナログ信号がそれぞれ与えられた閾値１及び閾値３と所定の関係に達したとき、前記所定の関係に対応する出力がＨレベルになる。すなわち、アナログ信号のレベルが閾値１より小さければ「０＜input＜閾値１」の出力がＨレベルになり、閾値１と閾値２の間であれば「閾値１＜input＜閾値２」の出力がＨレベルになり、閾値２を超えれば「閾値２＜input」の出力がＨレベルになる。
【００７２】
次に、図１７の処理フローチャートを説明する。メダルセンサ１乃至３の出力を監視する（ＳＴＥＰ４０）。
【００７３】
メダルセンサ１の出力が閾値を超えたかどうか判断する（ＳＴＥＰ４１）。ＳＴＥＰ４２でＹＥＳとなるのは、アナログ信号が上昇していって閾値を超えたときである。この閾値は閾値１又は閾値２の一方である。以下、閾値＝閾値１の場合を例にとり説明を加える。ＳＴＥＰ４１でＹＥＳの場合、メダルセンサ１乃至３の出力レベルが予め定められたパターンに一致しているかどうか判定する（ＳＴＥＰ４２）。このパターンを図１９に示す。ＳＴＥＰ４１でＹＥＳの場合は、符号Ａの「１，０，０」である。図１９において、「０」は「０＜input＜閾値１」の出力がＨレベルであること、「１」は「閾値１＜input＜閾値２」の出力がＨレベルであること、「２」は「閾値２＜input」の出力がＨレベルであることを意味する。パターン「１，０，０」は、図１８（ａ）のグラフで言うと符号Ａのタイミングであり、このときメダルセンサ１のアナログ信号は閾値１を超えるが、他はそれ以下である。ＳＴＥＰ４２でＮＯの場合、エラー処理を行う（ＳＴＥＰ４３）。
【００７４】
同様の処理をメダルセンサ２及び３についても行う（ＳＴＥＰ４４乃至４９）。
【００７５】
図１８（ａ）はメダル検出の場合を示すが、ＳＴＥＰ４２，４５，４８の判定において図１９のパターンと一致するのでエラー処理を行うことはない。図１８（ｂ）は異物の場合を示すが、この図から明らかなようにＳＴＥＰ４２，４５，４８のいずれかの判定において図１９のパターンと一致せず、エラー処理を行うことになる。
【００７６】
発明の実施の形態２によれば、メダル通路に沿ってセンサ１、センサ２、センサ３の３つを配置し、各センサの出力レベルの相対比較によって判定を行うので、異物の侵入を検出することができる。正規のサイズ以外のメダルもしくはメダルの逆流も検出することができる。さらに、メダルセンサによるメダル検出があったときにのみメダルを計数することで、不正行為によるメダルの計数を行うことがなくなる。以上の結果、不正行為を抑止することができる。
【００７７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００７８】
【図１】スロットマシンの外観を示す正面図である。
【図２】スロットマシンの前扉を開いたときの正面図である。
【図３】発明の実施の形態に係るスロットマシンの機能ブロック図である。
【図４】発明の実施の形態１に係るメダルセレクタの斜視図である。
【図５】発明の実施の形態１に係るメダルセレクタの模式的正面図である。
【図６】発明の実施の形態１に係るメダルセレクタの動作説明図である。
【図７】発明の実施の形態１に係るメダルセンサのアナログ信号の例を示す。図７（ａ）はメダル検知、同図（ｂ）は異物検知。
【図８】発明の実施の形態１に係るメダルセンサの出力回路ブロック図である。
【図９】発明の実施の形態１に係るメダル通過判定処理フローチャートである。
【図１０】図９の処理を説明するためのメダルセンサのアナログ信号のグラフである。図１０（ａ）はメダル検知、同図（ｂ）は異物検知。
【図１１】発明の実施の形態１に係るメダルセンサの他の出力回路ブロック図である。
【図１２】発明の実施の形態１に係る他のメダル通過判定処理フローチャートである。
【図１３】発明の実施の形態１に係る他のメダル通過判定処理フローチャートである。
【図１４】図１２及び図１３の処理を説明するためのサンプリングの様子を示すグラフである。図１５（ａ）はメダル検知、同図（ｂ）は異物検知。
【図１５】発明の実施の形態２に係るメダルセレクタの斜視図である。
【図１６】発明の実施の形態２に係るメダルセンサの出力回路ブロック図である。
【図１７】発明の実施の形態２に係るメダル通過判定処理フローチャートである。
【図１８】図１７の処理を説明するためのメダルセンサのアナログ信号のグラフである。図１８（ａ）はメダル検知、同図（ｂ）は異物検知。
【図１９】発明の実施の形態２に係るメダル通過判定用のパターン図である。
【図２０】従来のメダルセレクタの斜視図である。
【図２１】従来のメダル検出動作の説明図である。
【符号の説明】
【００７９】
１    メダルセレクタ
１１    メダル通路
１２    メダル出口（メダル排出口）
９０    不正行為に用いられる棒
９１    不正行為に用いられる板
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
２００    メイン基板（制御部）
２０１    サブ基板
２０２    操作部
２０３    リールユニット
２０４    演出表示部
Ｓ１，Ｓ２    メダル計数センサ（フォトインタラプタ）
Ｓ１０  メダルセンサ
ＡＤＣ  アナログ−デジタル変換器
ＣＭＰ  コンパレータ
【図１】
2006187495.tif 000003
【図２】
2006187495.tif 000004
【図３】
2006187495.tif 000005
【図４】
2006187495.tif 000006
【図５】
2006187495.tif 000007
【図６】
2006187495.tif 000008
【図７】
2006187495.tif 000009
【図８】
2006187495.tif 000010
【図９】
2006187495.tif 000011
【図１０】
2006187495.tif 000012
【図１１】
2006187495.tif 000013
【図１２】
2006187495.tif 000014
【図１３】
2006187495.tif 000015
【図１４】
2006187495.tif 000016
【図１５】
2006187495.tif 000017
【図１６】
2006187495.tif 000018
【図１７】
2006187495.tif 000019
【図１８】
2006187495.tif 000020
【図１９】
2006187495.tif 000021
【図２０】
2006187495.tif 000022
【図２１】
2006187495.tif 000023